(57)【要約】      （修正有）【課題】さまざまなペットのサイズでもある程度幅広く対応するとともに、オムツの装着性および装着時のペットの快適性も合わせて高めることができるペット用オムツを提供する。【解決手段】ペット用オムツ１０は、前後方向に沿って延設され、性器係合部１４の後端部に連結する一対のベルト部１６と、を含んで構成される。一対のベルト部１６は、幅方向で互いに離間配置されて、一対のベルト部１６の間には空隙が形成される。オムツの装着の際、ペットの尻尾および肛門は、空隙に重畳して配置され、一対のベルト部１６は、尻尾および肛門を幅方向で挟むように前後方向に延びて交差せずに配置され、一対のベルト部１６の先端部のそれぞれは、第２接着部１７によって本体部１１に接着されて固定される。【選択図】図１
0003233482.tif 000002
【実用新案登録請求の範囲】
【請求項１】
ペットの胴回りに巻き付けられるように幅方向に沿って延設され、少なくとも前記ペットの腹部および背部に面係合する本体部と
前記本体部の幅方向に直交する前後方向での前記本体部の後端部においてその幅方向中央部に連結するとともに、前後方向に沿って延設され前記ペットの性器に面係合する性器係合部と、
前後方向に沿って延設され、前記性器係合部の後端部に連結する一対のベルト部と、を含み、
前記本体部の幅方向両端部には、前記本体部が巻き付けられた際、当該幅方向両端部同士を着脱自在に接着して前記本体部を前記ペットの胴体に固定する第１接着部が配設され、
前記ペットの排泄物を吸収するための吸収体が、前記本体部では少なくとも前記腹部に面係合する部分と、前記性器係合部では前記性器に係合する部分と、に少なくとも貼設され、
前記一対のベルト部の先端部のそれぞれには、前記本体部の、前記背部に面係合する部分に対しその表面で着脱自在に接着する第２接着部が配設され、
前記一対のベルト部は、幅方向で互いに離間配置されて、前記一対のベルト部の間には空隙が形成されており、
オムツの装着の際、
前記ペットの尻尾および肛門は、前記空隙に重畳して配置され、
前記一対のベルト部は、前記尻尾および前記肛門を幅方向で挟むように前後方向に延びて交差せずに配置され、
前記一対のベルト部の先端部のそれぞれは、前記第２接着部によって前記本体部に接着されて固定される、
ペット用オムツ。
【請求項２】
前記性器係合部は、前記性器係合部の後端部に向かうに従って幅狭となるように略台形状部を有して形成される、
請求項１に記載のペット用オムツ。
【請求項３】
前記性器係合部の、前記性器に面係合する面側において、前記性器係合部の後端部の、少なくとも前記一対のベルト部によって挟まれる部分には、第１ギャザー部が幅方向に沿って延設される、
請求項１または２に記載のペット用オムツ。
【請求項４】
前記本体部は、前記本体部の幅方向に沿って延びる矩形状に形成され、
前記本体部の、前記腹部および前記背部に面係合する面側において、前記本体部の前端部および後端部のそれぞれには、第２ギャザー部が幅方向に沿って延設される、
請求項１〜３のいずれか１つに記載のペット用オムツ。
【請求項５】
前記一対のベルト部のそれぞれにおいて、その幅方向両端部の少なくとも一方には第３ギャザー部が前後方向に沿って延設される、
請求項１〜４のいずれか１つに記載のペット用オムツ。
【考案の詳細な説明】
【技術分野】
【０００１】
本考案は、生理用吸収性物品としてイヌまたはネコなどのペット（愛玩動物）に装着されるペット用オムツに関する。
【背景技術】
【０００２】
イヌまたネコなどのペット（愛玩動物）の多くは人間とは異なり、四足歩行であり尻尾を有する。そのため、ペット用オムツは、ペットに装着される際にその尻尾に対応して孔が形成される。しかしながら、尻尾の太さまたは長さ、さらには毛の生え具合などはその種類や個体差によってさまざまである。
【０００３】
そこで、従来のペット用オムツとして、ペットの腹部付近に装着されるための腹部側部およびその臀部（でんぶ）に装着されるための臀部側部を有する本体部を含んで構成され、本体部にはペットの尻尾を通すための尻尾孔が穿設されるものが知られる（例えば特許文献１参照）。そして、この尻尾孔の周縁部には巾着部が配設され、この巾着部は尻尾孔の周囲に配設される紐通し部と、この紐通し部に挿通される紐状部材を有する。
【先行技術文献】
【特許文献】
【０００４】
【特許文献１】特開２０１２−２００２０６号公報
【考案の概要】
【考案が解決しようとする課題】
【０００５】
前記特許文献１のペット用オムツは、前述の巾着部を有することでペットの尻尾を通す尻尾孔の径を巾着式に縮径したり拡径したりして調整することが可能である。そのため、ペット用オムツの尻尾孔にペットの尻尾を通した後、尻尾の太さに応じて尻尾孔の径を調整して尻尾孔のフィット性を高めることが可能である。
【０００６】
しかしながら、前記特許文献１のような尻尾孔が形成されるものは、ペットにペット用オムツを装着する際にペットの尻尾を捕まえた状態でその尻尾孔に通す必要がある。一般的にペットは尻尾を自分の飼い主をいえども捕まれるのを極端に嫌うため、装着の際、ペットが暴れてしまい装着を円滑に行うのが困難である場合が多い。
【０００７】
また、ペットは歩行または走行時に尻尾を動かすことで体幹のバランスを保っており尻尾を拘束されるのは不快に感じると見受けられる。すなわち、装着時でその動きを阻害しないように可能な限り開放させてペットの装着時の快適性を実現する必要もある。前記特許文献１のペット用オムツは、装着容易性および装着時の快適性などの点で改善の余地があったといえる。
【０００８】
また、前述のように、ペットはその種類および個体差によってサイズは多様である。そのため、前記特許文献１のようにペット用オムツの本体部の所定の位置に尻尾孔が固定して形成される場合、そのペットのサイズによっては装着することができず、例えば無理に装着した場合などオムツがズレて排泄物が漏れてしまう可能性がある。装着性を容易にする場合でも、どのようなサイズのペットにでもある程度対応可能なペット用オムツが求められる。つまり、オムツの装着性とともにペットのサイズへの柔軟な対応も同時に要求される。
【０００９】
本考案は、前述した事情に鑑みてなされたものであり、さまざまなペットのサイズでもある程度幅広く対応するとともに、オムツの装着性および装着時のペットの快適性も合わせて高めることができるペット用オムツを提供する。
【課題を解決するための手段】
【００１０】
本考案の前述した目的は、後記の構成により達成される。
（１）ペットの胴回りに巻き付けられるように幅方向に沿って延設され、少なくとも前記ペットの腹部および背部に面係合する本体部と、前記本体部の幅方向に直交する前後方向での前記本体部の後端部においてその幅方向中央部に連結するとともに、前後方向に沿って延設され前記ペットの性器に面係合する性器係合部と、前後方向に沿って延設され、前記性器係合部の後端部に連結する一対のベルト部と、を含み、前記本体部の幅方向両端部には、前記本体部が巻き付けられた際、当該幅方向両端部同士を着脱自在に接着して前記本体部を前記ペットの胴体に固定する第１接着部が配設され、前記ペットの排泄物を吸収するための吸収体が、前記本体部では少なくとも前記腹部に面係合する部分と、前記性器係合部では前記性器に係合する部分と、に少なくとも貼設され、前記一対のベルト部の先端部のそれぞれには、前記本体部の、前記背部に面係合する部分に対しその表面で着脱自在に接着する第２接着部が配設され、前記一対のベルト部は、幅方向で互いに離間配置されて、前記一対のベルト部の間には空隙が形成されており、オムツの装着の際、前記ペットの尻尾および肛門は、前記空隙に重畳して配置され、前記一対のベルト部は、前記尻尾および前記肛門を幅方向で挟むように前後方向に延びて交差せずに配置され、前記一対のベルト部の先端部のそれぞれは、前記第２接着部によって前記本体部に接着されて固定される、ペット用オムツ。
（２）前記性器係合部は、前記性器係合部の後端部に向かうに従って幅狭となるように略台形状部を有して形成される、（１）に記載のペット用オムツ。
（３）前記性器係合部の、前記性器に面係合する面側において、前記性器係合部の後端部の、少なくとも前記一対のベルト部によって挟まれる部分には、第１ギャザー部が幅方向に沿って延設される、（１）または（２）に記載のペット用オムツ。
（４）前記本体部は、前記本体部の幅方向に沿って延びる矩形状に形成され、前記本体部の、前記腹部および前記背部に面係合する面側において、前記本体部の前端部および後端部のそれぞれには、第２ギャザー部が幅方向に沿って延設される、（１）〜（３）のいずれか１つに記載のペット用オムツ。
（５）前記一対のベルト部のそれぞれにおいて、その幅方向両端部の少なくとも一方には第３ギャザー部が前後方向に沿って延設される、（１）〜（４）のいずれか１つに記載のペット用オムツ。
【００１１】
前記（１）の構成によれば、さまざまなペットのサイズでもある程度幅広く対応するとともに、オムツの装着性および装着時のペットの快適性も合わせて高めることができる。また、オムツの装着の際、ペットの尻尾および肛門は一対のベルト部の間の空隙に重畳して配置される。このため、排泄物のうち小便はオムツによって確かに捕獲される一方、ペットは大便を任意に行うことができる。すなわち、室内で飼われるペットについては特にオスの場合にはマーキング行為（さまざまなものまたは場所に排尿する行為）が衛生管理上大きな問題であるが、本構成によればそのマーキング行為による室内の汚染を防止するとともに装着時のペットの快適性を損なうことがない。
前記（２）の構成によれば、ペットの後ろ両足の付け根にオムツが引っ掛かるのを抑制して、装着時のペットの快適性を損なうことはなく、またオムツの装着性（フィット性）をさらに高めることができる。
前記（３）の構成によれば、ペットが尿などを排泄した場合でもその第１ギャザー部がキャッチしてその排泄物がオムツの後側から漏れるのを確実に抑制することができる。
前記（４）の構成によれば、ペットが尿などを排泄した場合でもその第２ギャザー部がキャッチしてその排泄物がオムツの前側から漏れるのを確実に抑制することができる。
前記（５）の構成によれば、一対のベルトをペットの胴体により確実に固定して装着性を高めるとともに装着時のペットの快適性をより一層高まることができる。
【考案の効果】
【００１２】
本考案によれば、さまざまなペットのサイズでもある程度幅広く対応するとともに、オムツの装着性および装着時のペットの快適性も合わせて高めることができるペット用オムツを提供する。
【００１３】
以上、本考案について簡潔に説明した。さらに、以下に説明される考案を実施するための形態（以下「実施形態」という。）を添付の図面を参照して通読することにより、本考案の詳細はさらに明確化されるだろう。
【図面の簡単な説明】
【００１４】
【図１】図１は、本考案の実施形態に係るペット用オムツの構成を例示する裏面側の平面図である。
【図２】図２は、図１に示すペット用オムツの構成を例示する表面側の平面図である。
【図３】図３は、図１に示すペット用オムツをペットに装着する様子を例示する側面図である。
【図４】図４は、図１に示すペット用オムツがペットに装着された状態を例示する上面図（ペットを上側から視る図）である。
【図５】図５は、図１に示すペット用オムツがペットに装着された状態を例示する背面図（ペットを後側から視る図）である。
【考案を実施するための形態】
【００１５】
本考案に係るペット用オムツに関する実施形態について、各図を参照しながら以下に説明する。
【００１６】
ただし、必要以上に詳細な説明は省略する場合がある。例えば、すでによく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために提供されるのであって、これらにより実用新案登録請求の範囲に記載の主題を限定することは意図されていない。また、添付図面のそれぞれは符号の向きに従って参照するものとする。
また、本実施形態ではペット（愛玩動物）としてイヌが例示されるが、これに限定されない。ネコなどのペットＰにも適用することが可能である。また、本実施形態のオムツは使い捨てのものが想定されるが、同じくこれに限定されない。例えば、洗ってリユース可能なものなどにも適用することが可能である。
【００１７】
［ペット用オムツの構成について］
図１および図２を参照して、本実施形態に係るペット用オムツ１０の構成について説明する。図１は、本実施形態に係るペット用オムツ１０の構成を例示する裏面側の平面図である。図２は、図１に示すペット用オムツ１０の構成を例示する表面側の平面図である。
なお、本実施形態に係るペット用オムツ１０がペットＰに装着された場合において、ペットＰの頭部側を「前側」、その尻尾側を「後側」とも称して説明する。また、後述する本体部１１の幅方向は、装着された場合においてペットＰの胴体の幅方向に沿う方向とされる。つまり、図１および図２では、図面上側がペットＰの頭部側に対応し、図面下側がペットＰの尻尾側に対応する部分である。
【００１８】
図１に示すように、本実施形態に係るペット用オムツ１０は、本体部１１と、性器係合部１４と、一対のベルト部１６と、を含んで構成される。本体部１１、性器係合部１４および一対のベルト部１６のそれぞれは別体として個別に成形されており、後述のように互いに例えば縫着によって連結して１枚のシート体として本実施形態のペット用オムツ１０が構成される。また、本体部１１、性器係合部１４および一対のベルト部１６のそれぞれは、透液性のトップシート（不図示）および防水性のバックシート（不図示）などを含んで多層構造に設けられる。
なお、本実施形態では、本体部１１、性器係合部１４および一対のベルト部１６のそれぞれは別体で設けられるが、これに限定されない。例えば、本体部１１、性器係合部１４および一対のベルト部１６の全体、またはそのうち複数が一体に成形されてもよい。
【００１９】
本体部１１は、長方形状（矩形状の一例）に形成され、ペットＰの胴回りに巻き付けられるように幅方向（図１および図２では左右方向）に沿って延設される。そのため、本体部１１は、ペットＰの胴回りに巻き付けられた際、ペットＰの腹部および背部に面係合する。本体部１１の腹部に面係合する部分には、ペットＰの排泄物を吸収するためのシート状吸収体Ａ（吸収体の一例）が本体部１１のトップシートおよびバックシートの間に配置された状態で貼設される。また、本体部１１の、腹部および背部に面係合する面側において、本体部１１の前端部および後端部のそれぞれには、第２立体ギャザー部１２（第２ギャザー部の一例）が幅方向に沿って延設される。
なお、第２立体ギャザー部１２は、帯状のヒダ部材であり、その先端部にはその延在方向に沿って糸ゴムなどの伸縮部材が通される。それにより、第２立体ギャザー部１２は、延在方向で伸縮可能に構成され、装着時のフィット性が高められている。後述する第１立体ギャザー部１５および第３立体ギャザー部１８も同様の構造で設けられる。
【００２０】
また、本体部１１の幅方向両端部には、本体部１１が巻き付けられた際、この幅方向両端部同士を着脱自在に接着して本体部１１をペットＰの胴体に固定する第１接着部１３が配設される。本実施形態では、第１接着部１３の一例としてメカニカルファスナーが採用され、幅方向両端部の一方にはフック部１３Ａが、その他方にはループ部１３Ｂが配設されて互いに止着可能に設けられる。
なお、本体部１１の幅方向の長さは、本体部１１がペットＰの胴回りに巻き付けられた際、幅方向先端部同士が所定の範囲で重畳するように設定され、さまざまな胴回りのサイズでも対応可能に設けられる。
【００２１】
性器係合部１４は、（本体部１１の幅方向に直交する前後方向での）本体部１１の後端部においてその幅方向中央部に連結して設けられる。また、性器係合部１４は、前後方向に沿って延設されており、性器係合部１４の後端部に向かうに従って幅狭となるように略台形状部を有して形成される。このような形状により、性器係合部１４はオムツへの装着時にペットＰの性器に面係合することが可能となる。
なお、本実施形態では、性器係合部１４は、その一部で略台形状部を有する六角形で形成されるが、これに限定されない。例えば、性器係合部１４は、全体的に略台形状に形成されてもよい。
【００２２】
そして、ペットＰの性器に面係合する部分には、シート状吸収体Ａがトップシートおよびバックシートの間に配置された状態で貼設される。また、性器係合部１４の、ペットＰの性器に面係合する面側において、一対のベルト部１６によって挟まれる部分には第１立体ギャザー部１５（第１ギャザー部の一例）が幅方向に沿って延設される。
なお、本実施形態では、一対のベルト部１６分と性器係合部１４との結合部分（境界部分）の全部には、立体ギャザー部は設けられていないが、これに限定されない。その境界部分の全部に立体ギャザー部が設けられるように構成されてもよい。
【００２３】
一対のベルト部１６は、帯状の紐部材であり、ペットＰへの装着時に前後方向に沿って延設されており、性器係合部１４の後端部に連結して配設される。このとき、一対のベルト部１６は、幅方向で互いに離間配置されて性器係合部１４に連結しており、その結果、一対のベルト部１６の間には空隙（隙間、開口部分）が形成される。
【００２４】
そして、一対のベルト部１６の先端部のそれぞれには、本体部１１の、背部に面係合する部分に対しその表面で着脱自在に接着する第２接着部１７が配設される。本実施形態では、第２接着部１７の一例として、前述の第１接着部１３と同様にメカニカルファスナーが使用でき、ベルト部１６の先端部には例えばフック部１７Ａが配設され、本体部１１の、背部に面係合する部分にはループ部１７Ｂが配設されて互いに止着可能に設けられる。それにより、オムツの装着時に、一対のベルト部１６は本体部１１に固定されることになる。
【００２５】
また、一対のベルト部１６のそれぞれにおいて、その幅方向両端部には第３立体ギャザー部１８（第３ギャザー部の一例）が前後方向に沿って延設される。また、本実施形態では、一対のベルト部１６の長さは一例として２００ｍｍ程度、その幅は一例として３５ｍｍ程度に設定されるが、第３立体ギャザー部１８によって伸縮自在でありさまざまなペットＰのサイズでもある程度幅広く対応することが可能である。
なお、第３立体ギャザー部１８は、一対のベルト部１６のそれぞれの幅方向両端部のうち少なくとも一方に設けられていればよい。
【００２６】
［ペット用オムツの装着について］
図３〜図５を参照して、本考案に係るペット用オムツ１０の装着方向について説明する。図３は、図１に示すペット用オムツ１０をペットＰに装着する様子を例示する側面図である。図４は、図１に示すペット用オムツ１０がペットＰに装着された状態を例示する上面図（ペットＰを上側から視る図）である。図５は、図１に示すペット用オムツ１０がペットＰに装着された状態を例示する背面図（ペットＰを後側から視る図）である。
【００２７】
図３に示すように、まず本体部１１はペットＰの胴回りに巻き付けられ、本体部１１の幅方向両端部同士は第１接着部１３によって接着して止着される。その止着により、本体部１１はペットＰの腹部および背部に亘って巻き付けられた状態でペットＰの胴体に固定される。この固定された状態で、一対のベルト部１６はペットＰの後ろ両足の間（股下）からペットＰの胴体の後側に向かって引き上げられ、それにより性器係合部１４はペットＰの性器に面係合することになる。
【００２８】
図４および図５に示すように、引き上げられた一対のベルト部１６は、その次にその内側面（つまり第３立体ギャザー部１８が配設される面側）でペットＰの尻部に面係合するようにペットＰの胴体の前側に向かって押し当てられる。そのとき、ペットＰの尻尾および肛門は、前述の空隙に重畳して配置される。また、一対のベルト部１６は、ペットＰの尻尾および肛門を幅方向で挟むように前後方向に延びて交差せず、例えば略平行に配置される。この状態で、一対のベルト部１６の先端部のそれぞれは、第２接着部１７によって本体部１１に接着されて固定されることになる。この固定により、本実施形態に係るペット用オムツ１０の装着が完了する。
【００２９】
［本実施形態の利点について］
以上説明したように本実施形態によれば、ペットＰの胴回りに巻き付けられるように幅方向に沿って延設され、少なくともペットＰの腹部および背部に面係合する本体部１１と、本体部１１の幅方向に直交する前後方向での本体部１１の後端部においてその幅方向中央部に連結するとともに、前後方向に沿って延設されペットＰの性器に面係合する性器係合部１４と、前後方向に沿って延設され、性器係合部１４の後端部に連結する一対のベルト部１６と、を含む。本体部１１の幅方向両端部には、本体部１１が巻き付けられた際、当該幅方向両端部同士を着脱自在に接着して本体部１１をペットＰの胴体に固定する第１接着部１３が配設される。ペットＰの排泄物を吸収するための吸収体が、本体部１１では少なくとも腹部に面係合する部分と、性器係合部１４では性器に係合する部分と、に少なくとも貼設される。一対のベルト部１６の先端部のそれぞれには、本体部１１の、背部に面係合する部分に対しその表面で着脱自在に接着する第２接着部１７が配設される。一対のベルト部１６は、幅方向で互いに離間配置されて、一対のベルト部１６の間には空隙が形成される。オムツの装着の際、ペットＰの尻尾および肛門は、空隙に重畳して配置され、一対のベルト部１６は、尻尾および肛門を幅方向で挟むように前後方向に延びて交差せずに配置され、一対のベルト部１６の先端部のそれぞれは、第２接着部１７によって本体部１１に接着されて固定される。
【００３０】
このため、さまざまなペットＰのサイズでもある程度幅広く対応するとともに、オムツの装着性および装着時のペットＰの快適性も合わせて高めることができる。また、オムツの装着の際、ペットＰの尻尾および肛門は一対のベルト部１６の間の空隙に重畳して配置される。このため、排泄物のうち小便はオムツによって確かに捕獲される一方、ペットＰは大便を任意に行うことができる。すなわち、室内で飼われるペットＰについては特にオスの場合にはマーキング行為（さまざまなものまたは場所に排尿する行為）が衛生管理上大きな問題であるが、本実施形態によればそのマーキング行為による室内の汚染を防止するとともに装着時のペットＰの快適性を損なうことがない。
【００３１】
また、本実施形態によれば、性器係合部１４は、性器係合部１４の後端部に向かうに従って幅狭となるように略台形状部を有して形成される。このため、ペットＰの後ろ両足の付け根にオムツが引っ掛かるのを抑制して、装着時のペットＰの快適性を損なうことはなく、またオムツの装着性（フィット性）をさらに高めることができる。
【００３２】
また、本実施形態によれば、性器係合部１４の、性器に面係合する面側において、性器係合部１４の後端部の、少なくとも一対のベルト部１６によって挟まれる部分には、第１立体ギャザー部１５（第１ギャザー部の一例）が幅方向に沿って延設される。このため、ペットＰが尿などを排泄した場合でもその第１立体ギャザー部１５がキャッチしてその排泄物がオムツの後側から漏れるのを確実に抑制することができる。
【００３３】
また、本実施形態によれば、本体部１１は、本体部１１の幅方向に沿って延びる矩形状に形成される。本体部１１の、腹部および背部に面係合する面側において、本体部１１の前端部および後端部のそれぞれには、第２立体ギャザー部１２（第２ギャザー部の一例）が幅方向に沿って延設される。このため、ペットＰが尿などを排泄した場合でもその第２立体ギャザー部１２がキャッチしてその排泄物がオムツの前側から漏れるのを確実に抑制することができる。
【００３４】
また、本実施形態によれば、一対のベルト部１６のそれぞれにおいて、その幅方向両端部の少なくとも一方には第３立体ギャザー部１８（第３ギャザー部の一例）が前後方向に沿って延設される。このため、一対のベルトをペットＰの胴体により確実に固定して装着性を高めるとともに装着時のペットＰの快適性をより一層高まることができる。
【００３５】
以上、図面を参照しながら具体的実施形態について説明したが、本開示はかかる例に限定されないことはいうまでもない。当業者であれば、実用新案登録請求の範囲に記載された範疇内において、各種の変更例、修正例、置換例、付加例、削除例、均等例に想到し得ることは明らかであり、それらについても当然に本開示の技術的範囲に属するものと了解される。また、考案の趣旨を逸脱しない範囲において、前述した実施形態における各構成要素を任意に組み合わせてもよい。
【産業上の利用可能性】
【００３６】
本考案は、さまざまなペットのサイズでもある程度幅広く対応するとともに、オムツの装着性および装着時のペットの快適性も合わせて高めることができるペット用オムツとして有用である。
【符号の説明】
【００３７】
１０    ペット用オムツ
１１    本体部
１２    第２立体ギャザー部（第２ギャザー部の一例）
１３    第１接着部
１３Ａ  フック部
１３Ｂ  ループ部
１４    性器係合部
１５    第１立体ギャザー部（第１ギャザー部の一例）
１６    ベルト部
１７    第２接着部
１７Ａ  フック部
１７Ｂ  ループ部
１８    第３立体ギャザー部（第３ギャザー部の一例）
Ａ      シート状吸収体（吸収体の一例）
Ｐ      ペット
【図１】
0003233482.tif 000003
【図２】
0003233482.tif 000004
【図３】
0003233482.tif 000005
【図４】
0003233482.tif 000006
【図５】
0003233482.tif 000007